(57)【要約】【課題】システム全体のスループットを向上すること。【解決手段】Ｓ／Ｐ変換部１００は、送信データをシリアル／パラレル変換し、１系列のデータを２系列に分割し、サブストリーム１およびサブストリーム２を生成する。ＭＣＳ選択部１１０−１およびＭＣＳ選択部１１０−２は、受信装置から報告されたＣＱＩに応じてＭＣＳを選択するためのテーブルを保持しており、サブストリーム１およびサブストリーム２を送信するためのＭＣＳをそれぞれ選択する。ここで、ＭＣＳ選択部１１０−１が保持しているテーブルは、ＭＣＳ選択部１１０−２が保持しているテーブルよりも保守的な基準を有している。【選択図】　　　図１
2004056569.tif 000002
【特許請求の範囲】
【請求項１】
送信データを複数の系列のデータに分割する分割手段と、
前記複数系列のデータのうち少なくとも１系列のデータの伝送レートを保守的な基準に基づいて決定する決定手段と、
決定された伝送レートで前記複数系列のデータを同時に送信する送信手段と、
を有することを特徴とするパラレル伝送装置。
【請求項２】
前記決定手段は、
前記複数系列のデータに対応する伝搬路状態情報を受信する伝搬路状態情報受信部と、
受信された伝搬路状態情報に応じて誤り符号化方式および変調方式からなる伝送レートを選択する伝送レート選択部と、を有し、
前記伝送レート選択部は、
前記複数系列のデータのうち少なくとも１系列のデータの伝送レートを、他の系列のデータよりも保守的な基準に基づいて選択することを特徴とする請求項１記載のパラレル伝送装置。
【請求項３】
前記伝搬路状態情報受信部は、
前記複数系列のデータのグループであるサブセットに対応する伝搬路状態情報を受信することを特徴とする請求項２記載のパラレル伝送装置。
【請求項４】
前記伝送レート選択部は、
前記複数系列のデータのグループであるサブセットのうち少なくとも１系列のデータの伝送レートを、当該サブセットの他の系列よりも保守的な基準に基づいて選択することを特徴とする請求項２記載のパラレル伝送装置。
【請求項５】
前記サブセットのうち保守的な基準を適用する系列のデータを指示するための指示信号を受信する指示信号受信部、をさらに有し、
前記伝送レート選択部は、
指示信号によって指示された系列のデータの伝送レートを、他の系列のデータよりも保守的な基準に基づいて選択することを特徴とする請求項３記載のパラレル伝送装置。
【請求項６】
前記決定手段によって保守的な基準に基づいて伝送レートが決定された系列のデータおよび当該系列以外の系列のデータに関する誤り訂正符号を生成する生成手段、をさらに有し、
前記送信手段は、
保守的な基準に基づいて伝送レートが決定された系列のデータに生成された誤り訂正符号を付加して送信することを特徴とする請求項１記載のパラレル伝送装置。
【請求項７】
前記決定手段によって保守的な基準に基づいて伝送レートが決定された系列のデータおよび当該系列以外の系列のデータに関する誤り訂正符号を生成する生成手段、をさらに有し、
前記送信手段は、
前記複数系列のデータに生成された誤り訂正符号を均等に付加して送信することを特徴とする請求項１記載のパラレル伝送装置。
【請求項８】
少なくとも１系列のデータの伝送レートが保守的な基準に基づいて決定された複数系列のデータを含む信号を受信する受信手段と、
受信信号を前記複数系列のデータごとに分離する分離手段と、
前記複数系列のデータのうち伝送レートが保守的な基準に基づいて決定された系列のデータに付加されている誤り訂正符号を用いて前記複数系列のデータの誤り訂正をする誤り訂正手段と、
を有することを特徴とするパラレル伝送装置。
【請求項９】
前記誤り訂正手段は、
前記複数系列のデータに均等に付加されている誤り訂正符号を用いて前記複数系列のデータの誤り訂正をすることを特徴とする請求項８記載のパラレル伝送装置。
【請求項１０】
請求項１から請求項７のいずれかに記載のパラレル伝送装置を有することを特徴とする基地局装置。
【請求項１１】
請求項８または請求項９のいずれかに記載のパラレル伝送装置を有することを特徴とする移動局装置。
【請求項１２】
送信データを複数の系列のデータに分割するステップと、
前記複数系列のデータのうち少なくとも１系列のデータの伝送レートを保守的な基準に基づいて決定するステップと、
決定した伝送レートで前記複数系列のデータを同時に送信するステップと、
を有することを特徴とする伝送レート決定方法。
【発明の詳細な説明】
【０００１】
【発明の属する技術分野】
本発明は、パラレル伝送装置および伝送レート決定方法に関する。
【０００２】
【従来の技術】
従来、無線通信においては、複数の系列のデータを同時に伝送するパラレル伝送が行われることがある。パラレル伝送の例としては、例えば複数のアンテナからそれぞれ異なるデータを同一周波数で同時に送信するＭＩＭＯ（Ｍｕｌｔｉ　Ｉｎｐｕｔ　Ｍｕｌｔｉ　Ｏｕｔｐｕｔ）通信や、周波数が異なる複数のサブキャリアにそれぞれ異なるデータを重畳して送信するＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）方式を用いた通信などがある。
【０００３】
このうち、例えばＭＩＭＯ通信においては、”Ｉｎｃｒｅａｓｉｎｇ　ＭＩＭＯ　ｔｈｒｏｕｇｈｐｕｔ　ｗｉｔｈ　ｐｅｒ−ａｎｔｅｎｎａ　ｒａｔｅ　ｃｏｎｔｒｏｌ（３ＧＰＰ　ＴＳＧ　ＲＡＮ　ＷＧ１，　ＴＳＧ−Ｒ１（０１）０８７９）”に記載されているように、複数のアンテナから送信するそれぞれ異なるデータの伝送レートを独立に調整することが検討されている。この技術は、ＰＡＲＣ（Ｐｅｒ−Ａｎｔｅｎｎａ　Ｒａｔｅ　Ｃｏｎｔｒｏｌ）と呼ばれ、変調方式と誤り符号化方式によって規定される伝送レートを示すＭＣＳ（Ｍｏｄｕｌａｔｉｏｎ　Ｃｏｄｉｎｇ　Ｓｃｈｅｍｅｓ）を各アンテナごとに変えることにより、複数のアンテナからのデータ伝送レートを独立に調整するものである。
【０００４】
【発明が解決しようとする課題】
しかしながら、上述したように、パラレル伝送における複数系列のデータについて、ＭＣＳによる伝送レートを独立に調整する場合、各系列におけるＭＣＳ選択の基準は同一であるため、受信側において、すべての系列のデータから誤りが検出されることがある。具体的には、ＭＣＳの選択は、所定のテーブルから回線品質に応じた変調方式および誤り符号化方式が選択されることにより行われるが、複数の系列において独立にＭＣＳを選択する場合でも、ＭＣＳ選択用のテーブルは各系列で同一であるため、回線の状態の変化などにより、受信側においてすべての系列のデータが誤る可能性がある。すべての系列のデータが誤ると、例えばデータの再送が多発し、システム全体のスループットが低下するという問題がある。
【０００５】
本発明は、かかる点に鑑みてなされたものであり、システム全体のスループットを向上することができるパラレル伝送装置および伝送レート決定方法を提供することを目的とする。
【０００６】
【課題を解決するための手段】
本発明のパラレル伝送装置は、送信データを複数の系列のデータに分割する分割手段と、前記複数系列のデータのうち少なくとも１系列のデータの伝送レートを保守的な基準に基づいて決定する決定手段と、決定された伝送レートで前記複数系列のデータを同時に送信する送信手段と、を有する構成を採る。
【０００７】
この構成によれば、送信データを分割して得られた複数系列のデータのうち、少なくとも１系列のデータの伝送レートを保守的な基準に基づいて決定し、送信するため、少なくとも１系列のデータは確実に伝送して、受信側において検出されるデータの誤りを削減することができ、システム全体のスループットを向上することができる。
【０００８】
本発明のパラレル伝送装置は、前記決定手段は、前記複数系列のデータに対応する伝搬路状態情報を受信する伝搬路状態情報受信部と、受信された伝搬路状態情報に応じて誤り符号化方式および変調方式からなる伝送レートを選択する伝送レート選択部と、を有し、前記伝送レート選択部は、前記複数系列のデータのうち少なくとも１系列のデータの伝送レートを、他の系列のデータよりも保守的な基準に基づいて選択する構成を採る。
【０００９】
この構成によれば、伝搬路状態情報に応じて複数系列のデータに対応する誤り符号化方式および変調方式からなる伝送レートを選択するとともに、少なくとも１系列のデータの伝送レートを他の系列のデータよりも保守的な基準に基づいて選択するため、例えば受信側から報告されるＣＱＩ（Ｃｈａｎｎｅｌ　Ｑｕａｌｉｔｙ　Ｉｎｄｉｃａｔｏｒ）などの伝搬路状態情報に応じて複数系列のデータのＭＣＳ（Ｍｏｄｕｌａｔｉｏｎ　Ｃｏｄｉｎｇ　Ｓｃｈｅｍｅｓ）をそれぞれ独立に選択する際に、少なくとも１系列のデータは確実に伝送して、受信側において検出されるデータの誤りを削減することができ、システム全体のスループットを向上することができる。
【００１０】
本発明のパラレル伝送装置は、前記伝搬路状態情報受信部は、前記複数系列のデータのグループであるサブセットに対応する伝搬路状態情報を受信する構成を採る。
【００１１】
この構成によれば、複数系列のデータのグループであるサブセットに対応する伝搬路状態情報を受信するため、例えばＣＱＩなどの伝搬路状態情報を報告するための信号の量を削減することができ、システム全体のスループットをさらに向上することができる。
【００１２】
本発明のパラレル伝送装置は、前記伝送レート選択部は、前記複数系列のデータのグループであるサブセットのうち少なくとも１系列のデータの伝送レートを、当該サブセットの他の系列よりも保守的な基準に基づいて選択する構成を採る。
【００１３】
この構成によれば、複数系列のデータのグループであるサブセットのうち少なくとも１系列のデータの伝送レートを、当該サブセットの他の系列よりも保守的な基準に基づいて選択するため、サブセット内において少なくとも１系列のデータは確実に伝送して、受信側において検出されるデータの誤りを削減することができるとともに、サブセット単位で共通のＣＱＩに基づく伝送レートを決定する場合には、ＣＱＩを報告するための信号の量を削減することができ、システム全体のスループットをさらに向上することができる。
【００１４】
本発明のパラレル伝送装置は、前記サブセットのうち保守的な基準を適用する系列のデータを指示するための指示信号を受信する指示信号受信部、をさらに有し、前記伝送レート選択部は、指示信号によって指示された系列のデータの伝送レートを、他の系列のデータよりも保守的な基準に基づいて選択する構成を採る。
【００１５】
この構成によれば、サブセットのうち保守的な基準を適用する系列のデータを指示するための指示信号を受信し、指示された系列のデータの伝送レートを他の系列のデータよりも保守的な基準に基づいて選択するため、受信側は、例えば各系列のデータごとの受信品質に応じて、保守的な基準に基づいて伝送レートを選択する系列を指示することができ、指示された系列のデータをさらに確実に伝送することができる。
【００１６】
本発明のパラレル伝送装置は、前記決定手段によって保守的な基準に基づいて伝送レートが決定された系列のデータおよび当該系列以外の系列のデータに関する誤り訂正符号を生成する生成手段、をさらに有し、前記送信手段は、保守的な基準に基づいて伝送レートが決定された系列のデータに生成された誤り訂正符号を付加して送信する構成を採る。
【００１７】
この構成によれば、保守的な基準に基づいて伝送レートが決定された系列およびそれ以外の系列のデータに関する誤り訂正符号を生成し、保守的な基準に基づいて伝送レートが決定された系列のデータに付加して送信するため、受信側は、保守的な基準に基づいて伝送レートが決定された系列以外の系列のデータに関する誤り訂正符号を確実に受信した上で、この系列の誤り訂正を行うことができ、システム全体のスループットをさらに向上することができる。
【００１８】
本発明のパラレル伝送装置は、前記決定手段によって保守的な基準に基づいて伝送レートが決定された系列のデータおよび当該系列以外の系列のデータに関する誤り訂正符号を生成する生成手段、をさらに有し、前記送信手段は、前記複数系列のデータに生成された誤り訂正符号を均等に付加して送信する構成を採る。
【００１９】
この構成によれば、保守的な基準に基づいて伝送レートが決定された系列およびそれ以外の系列のデータに関する誤り訂正符号を生成し、複数系列のデータに均等に付加して送信するため、誤り訂正符号を含む複数系列のデータのデータ長を揃えることができ、装置構成の簡略化を図ることができる。
【００２０】
本発明のパラレル伝送装置は、少なくとも１系列のデータの伝送レートが保守的な基準に基づいて決定された複数系列のデータを含む信号を受信する受信手段と、受信信号を前記複数系列のデータごとに分離する分離手段と、前記複数系列のデータのうち伝送レートが保守的な基準に基づいて決定された系列のデータに付加されている誤り訂正符号を用いて前記複数系列のデータの誤り訂正をする誤り訂正手段と、を有する構成を採る。
【００２１】
この構成によれば、受信信号を少なくとも１系列のデータの伝送レートが保守的な基準に基づいて決定された複数系列のデータごとに分離し、伝送レートが保守的な基準に基づいて決定された系列のデータに付加されている誤り訂正符号を用いて各系列のデータの誤り訂正をするため、保守的な基準に基づいて伝送レートが決定された系列以外の系列の誤り訂正を行うことができ、システム全体のスループットをさらに向上することができる。
【００２２】
本発明のパラレル伝送装置は、前記誤り訂正手段は、前記複数系列のデータに均等に付加されている誤り訂正符号を用いて前記複数系列のデータの誤り訂正をする構成を採る。
【００２３】
この構成によれば、複数系列のデータに均等に付加されている誤り訂正符号を用いて誤り訂正をするため、受信信号から誤り訂正符号部分を容易に抽出することができ、誤り訂正復号化を効率的に行うことができる。
【００２４】
本発明の基地局装置は、上記のいずれかに記載のパラレル伝送装置を有する構成を採る。
【００２５】
この構成によれば、上記のいずれかに記載のパラレル伝送装置と同様の作用効果を、基地局装置において実現することができる。
【００２６】
本発明の移動局装置は、上記のいずれかに記載のパラレル伝送装置を有する構成を採る。
【００２７】
この構成によれば、上記のいずれかに記載のパラレル伝送装置と同様の作用効果を、移動局装置において実現することができる。
【００２８】
本発明の伝送レート決定方法は、送信データを複数の系列のデータに分割するステップと、前記複数系列のデータのうち少なくとも１系列のデータの伝送レートを保守的な基準に基づいて決定するステップと、決定した伝送レートで前記複数系列のデータを同時に送信するステップと、を有するようにした。
【００２９】
この方法によれば、送信データを分割して得られた複数系列のデータのうち、少なくとも１系列のデータの伝送レートを保守的な基準に基づいて決定し、送信するため、少なくとも１系列のデータは確実に伝送して、受信側において検出されるデータの誤りを削減することができ、システム全体のスループットを向上することができる。
【００３０】
【発明の実施の形態】
本発明の骨子は、複数系列のデータのうち、少なくとも１系列のデータの伝送レートを保守的な基準に基づいて決定して送信することである。
【００３１】
以下、本発明の実施の形態について、図面を参照して詳細に説明する。なお、以下の各実施の形態においては、パラレル伝送としてＭＩＭＯ通信を例にとって説明するが、本発明はこれに限定されず、周波数の異なる複数のサブキャリアにデータを重畳して送信するＯＦＤＭ方式や、複数のコードによってデータを拡散して送信するマルチコード伝送など、複数の系列のデータを同時に送信する場合に適用可能である。
【００３２】
（実施の形態１）
図１は、本発明の実施の形態１に係る送信装置の構成を示すブロック図である。同図に示す送信装置は、Ｓ／Ｐ（Ｓｅｒｉａｌ／Ｐａｒａｌｌｅｌ）変換部１００、ＭＣＳ（Ｍｏｄｕｌａｔｉｏｎ　Ｃｏｄｉｎｇ　Ｓｃｈｅｍｅｓ）選択部１１０−１〜２、適応符号化部１２０−１〜２、適応変調部１３０−１〜２、拡散部１４０−１〜２、無線送信部１５０−１〜２、無線受信部１６０、およびＣＱＩ（Ｃｈａｎｎｅｌ　Ｑｕａｌｉｔｙ　Ｉｎｄｉｃａｔｏｒ）復号部１７０−１〜２を有している。
【００３３】
なお、以下の説明においては、ＭＣＳ選択部１１０−１から無線送信部１５０−１によって処理され送信されるデータの流れを「サブストリーム１」といい、ＭＣＳ選択部１１０−２から無線送信部１５０−２によって処理され送信されるデータの流れを「サブストリーム２」という。
【００３４】
Ｓ／Ｐ変換部１００は、送信データをシリアル／パラレル変換し、１系列のデータを複数系列のデータに分割する。ここでは、Ｓ／Ｐ変換部１００は、１系列のデータを２系列に分割し、サブストリーム１およびサブストリーム２を生成する。ＭＣＳ選択部１１０−１およびＭＣＳ選択部１１０−２は、後述する受信装置から報告されたＣＱＩに応じてＭＣＳを選択するためのテーブルを保持しており、サブストリーム１およびサブストリーム２を送信するためのＭＣＳをそれぞれ選択する。ここで、ＭＣＳ選択部１１０−１が保持しているテーブルは、ＭＣＳ選択部１１０−２が保持しているテーブルよりも保守的な基準を有している。すなわち、サブストリーム１およびサブストリーム２が伝送される回線の回線品質が同じであれば、サブストリーム１の伝送レートの方がサブストリーム２の伝送レートより低く、データの誤りが生じにくいＭＣＳが選択されるようなテーブルが、それぞれＭＣＳ選択部１１０−１およびＭＣＳ選択部１１０−２によって保持されている。
【００３５】
具体的には、例えば図２（ａ）に示すようなテーブルがＭＣＳ選択部１１０−１によって保持されており、図２（ｂ）に示すようなテーブルがＭＣＳ選択部１１０−２によって保持されている。これらの図に示すテーブルにおいては、ＭＣＳ１が最も低い伝送レートのＭＣＳであるが、データの誤りが生じにくく、ＭＣＳ２、ＭＣＳ３となるに連れ、伝送レートは高くなるが、データの誤りが生じやすくなる。これらの図に示すようなテーブルがＭＣＳ選択部１１０−１およびＭＣＳ選択部１１０−２によってそれぞれ保持されいている場合、例えばサブストリーム１およびサブストリーム２が伝送される回線の回線品質を示すＣＱＩがいずれも９ｄＢであると、ＭＣＳ選択部１１０−１においては、ＭＣＳ２（変調方式がＱＰＳＫで符号化率が１／２）が選択され、ＭＣＳ選択部１１０−２においては、ＭＣＳ３（変調方式が８ＰＳＫで符号化率が１／３）が選択されることになる。したがって、ＭＣＳ選択部１１０−１によって選択されるＭＣＳで伝送されるサブストリーム１は、ＭＣＳ選択部１１０−２によって選択されるＭＣＳで伝送されるサブストリーム２よりも低い伝送レートで伝送されるが、受信側において誤りが検出される可能性は小さくなる。
【００３６】
このように、実際にデータ伝送可能な伝送レートよりも低い伝送レートが選択されるような伝送レート選択のための基準を、本明細書においては「保守的な基準」という。
【００３７】
適応符号化部１２０−１および適応符号化部１２０−２は、それぞれＭＣＳ選択部１１０−１およびＭＣＳ選択部１１０−２によって選択されたＭＣＳの誤り符号化方式でサブストリーム１およびサブストリーム２を誤り符号化する。適応変調部１３０−１および適応変調部１３０−２は、それぞれＭＣＳ選択部１１０−１およびＭＣＳ選択部１１０−２によって選択されたＭＣＳの変調方式でサブストリーム１およびサブストリーム２を変調する。拡散部１４０−１および拡散部１４０−２は、それぞれサブストリーム１およびサブストリーム２を拡散する。無線送信部１５０−１および無線送信部１５０−２は、それぞれサブストリーム１およびサブストリーム２に対して所定の無線送信処理（Ｄ／Ａ変換、アップコンバートなど）を行い、それぞれ対応するアンテナを介して送信する。
【００３８】
無線受信部１６０は、後述する受信装置から報告されるＣＱＩを含む信号をアンテナを介して受信し、所定の無線受信処理（ダウンコンバート、Ａ／Ｄ変換など）を行う。ＣＱＩ復号部１７０−１およびＣＱＩ復号部１７０−２は、無線受信部１６０によって受信された受信信号に含まれ、それぞれサブストリーム１およびサブストリーム２に対応するＣＱＩを復号する。
【００３９】
図３は、実施の形態１に係る受信装置の構成を示すブロック図である。同図に示す受信装置は、無線受信部２００−１〜２、逆拡散部２１０−１〜２、チャネル推定部２２０、サブストリーム分離部２３０、復調部２４０−１〜２、復号化部２５０−１〜２、誤り検出部２６０−１〜２、ＣＩＲ（Ｃａｒｒｉｅｒ　ｔｏ　Ｉｎｔｅｒｆｅｒｅｎｃｅ　Ｒａｔｉｏ）測定部２７０−１〜２、ＣＱＩ生成部２８０−１〜２、および無線送信部２９０を有している。
【００４０】
無線受信部２００−１および無線受信部２００−２は、それぞれ対応するアンテナから信号を受信し、所定の無線受信処理（ダウンコンバート、Ａ／Ｄ変換など）を行う。逆拡散部２１０−１および逆拡散部２１０−２は、それぞれ対応するアンテナからの受信信号を逆拡散する。チャネル推定部２２０は、アンテナごとの受信信号に対してチャネル推定を行い、チャネル推定結果をサブストリーム分離部２３０へ出力する。サブストリーム分離部２３０は、アンテナごとのチャネル推定結果に基づいて、送信装置におけるサブストリーム１およびサブストリーム２を分離し、それぞれ復調部２４０−１とＣＩＲ測定部２７０−１および復調部２４０−２とＣＩＲ測定部２７０−２へ出力する。
【００４１】
復調部２４０−１および復調部２４０−２は、それぞれ送信装置におけるサブストリーム１およびサブストリーム２に対応する信号を復調する。復号化部２５０−１および復号化部２５０−２は、それぞれサブストリーム１およびサブストリーム２に対応する信号を誤り復号化する。誤り検出部２６０−１および誤り検出部２６０−２は、送信装置においてサブストリームごとに付加されたＣＲＣ（Ｃｙｃｌｉｃ　Ｒｅｄｕｎｄａｎｃｙ　Ｃｈｅｃｋ）などの誤り検出符号を用いて、それぞれサブストリーム１およびサブストリーム２に対応する信号の誤り検出を行い、受信データを得る。
【００４２】
ＣＩＲ測定部２７０−１およびＣＩＲ測定部２７０−２は、それぞれサブストリーム１およびサブストリーム２に対応する信号の受信品質を示すＣＩＲを測定する。ＣＱＩ生成部２８０−１およびＣＱＩ生成部２８０−２は、それぞれサブストリーム１およびサブストリーム２に対応する信号のＣＩＲに基づいて、各サブストリームが伝送される回線の品質を示すＣＱＩを含む信号を生成する。無線送信部２９０は、ＣＱＩ生成部２８０−１およびＣＱＩ生成部２８０−２によって生成されたＣＱＩを含む信号を多重して得られた多重信号に対して所定の無線送信処理（Ｄ／Ａ変換、アップコンバートなど）を行い、アンテナを介して送信する。
【００４３】
次いで、上記のように構成された送信装置および受信装置の動作について説明する。
【００４４】
送信データは、Ｓ／Ｐ変換部１００によってシリアル／パラレル変換され、サブストリーム１およびサブストリーム２の２系列のデータが得られる。そして、ＭＣＳ選択部１１０−１によって、サブストリーム１に対応する信号が伝送される回線のＣＱＩに基づきサブストリーム１を送信する際のＭＣＳが選択され、同様に、ＭＣＳ選択部１１０−２によって、サブストリーム２に対応するＣＱＩに基づきサブストリーム２を送信する際のＭＣＳが選択される。ここで、各サブストリームに対応するＣＱＩは、受信装置によって生成されて送信されたものであり、ＣＱＩ復号部１７０−１およびＣＱＩ復号部１７０−２によって復号されたものである。
【００４５】
このとき、上述のように、ＭＣＳ選択部１１０−１によって選択されるＭＣＳ（すなわち、サブストリーム１を送信するためのＭＣＳ）は、ＭＣＳ選択部１１０−２によって選択されるＭＣＳ（すなわち、サブストリーム２を送信するためのＭＣＳ）よりも保守的な基準を有するテーブルに基づいて決定されるため、各サブストリームが伝送される際に、サブストリーム１の方が誤る可能性が小さい。
【００４６】
そして、サブストリーム１（サブストリーム２）は、対応するＭＣＳ選択部１１０−１（ＭＣＳ選択部１１０−２）によって選択されたＭＣＳに応じた誤り符号化方式で適応符号化部１２０−１（適応符号化部１２０−２）によって誤り符号化され、同様に選択されたＭＣＳに応じた変調方式で適応変調部１３０−１（適応変調部１３０−２）によって変調される。さらに、サブストリーム１（サブストリーム２）は、拡散部１４０−１（拡散部１４０−２）によって拡散され、無線送信部１５０−１（無線送信部１５０−２）によって所定の無線送信処理（Ｄ／Ａ変換、アップコンバートなど）が行われ、対応するアンテナから送信される。
【００４７】
送信装置から送信されたサブストリーム１およびサブストリーム２は、受信装置の無線受信部２００−１および無線受信部２００−２によって、アンテナを介して受信される。このとき、それぞれのアンテナには、サブストリーム１、サブストリーム２、および雑音を含む信号が受信される。そして、無線受信部２００−１および無線受信部２００−２によって、受信信号に対して所定の無線受信処理（ダウンコンバート、Ａ／Ｄ変換など）が行われる。そして、無線受信処理後の信号は、逆拡散部２１０−１および逆拡散部２１０−２によって逆拡散されるとともに、チャネル推定部２２０によってチャネル推定される。逆拡散後の信号は、チャネル推定結果に基づいて、送信装置におけるサブストリーム１およびサブストリーム２に対応する信号へとサブストリーム分離部２３０によって分離され、サブストリーム１に対応する信号は復調部２４０−１およびＣＩＲ測定部２７０−１へ出力され、サブストリーム２に対応する信号は復調部２４０−２およびＣＩＲ測定部２７０−２へ出力される。
【００４８】
そして、サブストリーム１（サブストリーム２）に対応する信号は、復調部２４０−１（復調部２４０−２）によって復調され、復号化部２５０−１（復号化部２５０−２）によって誤り復号化され、誤り検出部２６０−１（誤り検出部２６０−２）によって例えばＣＲＣなどが用いられることにより誤り検出され、サブストリーム１（サブストリーム２）に対応する受信データが得られる。このとき、サブストリーム１は、サブストリーム２より保守的な基準を有するテーブルに基づいて決定されたＭＣＳによって送信されているため、誤り検出部２６０−１によって誤り検出が行われる信号は、誤り検出部２６０−２によって誤り検出が行われる信号よりも誤っている可能性が小さい。
【００４９】
また、サブストリーム１（サブストリーム２）に対応する信号は、ＣＩＲ測定部２７０−１（ＣＩＲ測定部２７０−２）によって、受信品質を示すＣＩＲが測定され、ＣＱＩ生成部２８０−１（ＣＱＩ生成部２８０−２）によって、ＣＩＲからサブストリーム１（サブストリーム２）が伝送された回線の品質を示すＣＱＩを含む信号が生成される。そして、各サブストリームに対応するＣＱＩを含む信号は多重され、無線送信部２９０によって所定の無線送信処理（Ｄ／Ａ変換、アップコンバートなど）が行われ、アンテナを介して送信される。
【００５０】
各サブストリームに対応するＣＱＩを含む信号は、送信装置の無線受信部１６０によってアンテナを介して受信され、所定の無線受信処理（ダウンコンバート、Ａ／Ｄ変換など）が行われる。そして、受信信号は、ＣＱＩ復号部１７０−１によって復号され、サブストリーム１に対応するＣＱＩがＭＣＳ選択部１１０−１へ通知される。同様に、受信信号は、ＣＱＩ復号部１７０−２によって復号され、サブストリーム２に対応するＣＱＩがＭＣＳ選択部１１０−２へ通知される。
【００５１】
このように、本実施の形態によれば、サブストリームごとのＭＣＳを選択する際に、少なくとも１つのサブストリームに関するＭＣＳの選択には、他のサブストリームに関するＭＣＳの選択よりも保守的な基準を有するテーブルが用いられるため、回線の状態の変化が生じたような場合でも、すべてのサブストリームが誤って伝送されることを防ぐことができ、システム全体のスループットを向上することができる。
【００５２】
なお、本実施の形態においては、２つのアンテナによって信号を送受信するＭＩＭＯ通信について説明したが、本発明はこれに限定されず、複数の系列から同時にデータを伝送するパラレル伝送において適用することが可能である。
【００５３】
（実施の形態２）
本発明の実施の形態２の特徴は、複数の系列のデータをグループ化し、各グループの系列のデータには共通のＣＱＩを用いることにより、受信装置から送信装置へＣＱＩを報告するための信号の増加を防止することである。
【００５４】
図４は、実施の形態２に係る送信装置の構成を示すブロック図である。同図に示す送信装置において、図１に示す送信装置と同じ部分には同じ符号を付し、その説明を省略する。図４に示す送信装置は、Ｓ／Ｐ変換部３００、ＭＣＳ選択部３１０−１〜４、適応符号化部３２０−１〜４、適応変調部３３０−１〜４、拡散部３４０−１〜４、無線送信部３５０−１〜４、無線受信部１６０、ＣＱＩ復号部１７０−１〜２を有している。
【００５５】
なお、以下の説明においては、ＭＣＳ選択部３１０−１から無線送信部３５０−１によって処理され送信されるデータの流れを「サブストリーム１」といい、同様に、ＭＣＳ選択部３１０−２〜４から無線送信部３５０−２〜４によって処理され送信されるデータの流れを、それぞれ「サブストリーム２」、「サブストリーム３」、「サブストリーム４」という。
【００５６】
Ｓ／Ｐ変換部３００は、送信データをシリアル／パラレル変換し、１系列のデータを複数系列のデータに分割する。ここでは、Ｓ／Ｐ変換部３００は、１系列のデータを４系列に分割し、サブストリーム１〜４を生成する。本実施の形態においては、サブストリーム１およびサブストリーム２が１つのグループであるサブセットを構成しており、同様に、サブストリーム３およびサブストリーム４が１つのサブセットを構成しているものとする。
【００５７】
ＭＣＳ選択部３１０−１〜４は、後述する受信装置から報告されたＣＱＩに応じてＭＣＳを選択するためのテーブルを保持しており、サブストリーム１〜４を送信するためのＭＣＳをそれぞれ選択する。ここで、ＭＣＳ選択部３１０−１およびＭＣＳ選択部３１０−２は、１つのサブセットに関するＭＣＳを選択するサブセットＭＣＳ選択部を構成しており、ＣＱＩ復号部１７０−１によって得られるＣＱＩに基づいて当該サブセットのＭＣＳを選択する。同様に、ＭＣＳ選択部３１０−３およびＭＣＳ選択部３１０−４は、１つのサブセットに関するＭＣＳを選択するサブセットＭＣＳ選択部を構成しており、ＣＱＩ復号部１７０−２によって得られるＣＱＩに基づいて当該サブセットのＭＣＳを選択する。また、ＭＣＳ選択部３１０−１が保持しているテーブルは、ＭＣＳ選択部３１０−２が保持しているテーブルよりも保守的な基準を有しており、ＭＣＳ選択部３１０−３が保持しているテーブルは、ＭＣＳ選択部３１０−４が保持しているテーブルよりも保守的な基準を有している。すなわち、サブストリーム１およびサブストリーム２が伝送される回線の回線品質が同じであれば、サブストリーム１の伝送レートの方がサブストリーム２の伝送レートより低く、データの誤りが生じにくいＭＣＳが選択されるようなテーブルが、それぞれＭＣＳ選択部３１０−１およびＭＣＳ選択部３１０−２によって保持されている。同じように、サブストリーム３およびサブストリーム４が伝送される回線の回線品質が同じであれば、サブストリーム３の伝送レートの方がサブストリーム４の伝送レートより低く、データの誤りが生じにくいＭＣＳが選択されるようなテーブルが、それぞれＭＣＳ選択部３１０−３およびＭＣＳ選択部３１０−４によって保持されている。
【００５８】
適応符号化部３２０−１〜４は、それぞれＭＣＳ選択部３１０−１〜４によって選択されたＭＣＳの誤り符号化方式でサブストリーム１〜４を誤り符号化する。適応変調部３３０−１〜４は、それぞれＭＣＳ選択部３１０−１〜４によって選択されたＭＣＳの変調方式でサブストリーム１〜４を変調する。拡散部３４０−１〜４は、それぞれサブストリーム１〜４を拡散する。無線送信部３５０−１〜４は、それぞれサブストリーム１〜４に対して所定の無線送信処理（Ｄ／Ａ変換、アップコンバートなど）を行い、それぞれ対応するアンテナを介して送信する。
【００５９】
なお、本実施の形態においては、実施の形態１と異なり、ＣＱＩ復号部１７０−１およびＣＱＩ復号部１７０−２は、無線受信部１６０によって受信された受信信号に含まれ、それぞれサブストリーム１〜２を含むサブセットおよびサブストリーム３〜４を含むサブセットに対応するＣＱＩを復号する。
【００６０】
図５は、実施の形態２に係る受信装置の構成を示すブロック図である。同図に示す受信装置において、図３に示す受信装置と同じ部分には同じ符号を付し、その説明を省略する。図５に示す受信装置は、無線受信部４００−１〜４、逆拡散部４１０−１〜４、チャネル推定部２２０、サブストリーム分離部４３０、復調部４４０−１〜４、復号化部４５０−１〜４、誤り検出部４６０−１〜４、ＣＩＲ測定部４７０−１〜４、ＣＱＩ生成部４８０−１〜２、および無線送信部２９０を有している。
【００６１】
無線受信部４００−１〜４は、それぞれ対応するアンテナから信号を受信し、所定の無線受信処理（ダウンコンバート、Ａ／Ｄ変換など）を行う。逆拡散部４１０−１〜４は、それぞれ対応するアンテナからの受信信号を逆拡散する。サブストリーム分離部４３０は、アンテナごとのチャネル推定結果に基づいて、送信装置におけるサブストリーム１〜４を分離し、それぞれ復調部４４０−１〜４とＣＩＲ測定部４７０−１〜４へ出力する。
【００６２】
復調部４４０−１〜４は、それぞれ送信装置におけるサブストリーム１〜４に対応する信号を復調する。復号化部４５０−１〜４は、それぞれサブストリーム１〜４に対応する信号を誤り復号化する。誤り検出部４６０−１〜４は、送信装置においてサブストリームごとに付加されたＣＲＣなどの誤り検出符号を用いて、それぞれサブストリーム１〜４に対応する信号の誤り検出を行い、受信データを得る。
【００６３】
ＣＩＲ測定部４７０−１〜４は、それぞれサブストリーム１〜４に対応する信号の受信品質を示すＣＩＲを測定する。ＣＱＩ生成部４８０−１は、サブストリーム１およびサブストリーム２に対応する信号のＣＩＲに基づいて、これらのサブストリームを含むサブセットのＭＣＳを選択するためのＣＱＩを含む信号を生成する。同様に、ＣＱＩ生成部４８０−２は、サブストリーム３およびサブストリーム４に対応する信号のＣＩＲに基づいて、これらのサブストリームを含むサブセットのＭＣＳを選択するためのＣＱＩを含む信号を生成する。ここで、ＣＱＩ生成部４８０−１およびＣＱＩ生成部４８０−２は、それぞれ対応するＣＩＲ測定部４７０−１〜２およびＣＩＲ測定部４７０−３〜４によって測定されたＣＩＲの平均値を用いてＣＱＩを決定しても良く、また、高い方または低い方のＣＩＲを用いてＣＱＩを決定しても良い。
【００６４】
次いで、上記のように構成された送信装置および受信装置の動作について説明する。
【００６５】
送信データは、Ｓ／Ｐ変換部３００によってシリアル／パラレル変換され、サブストリーム１〜４の４系列のデータが得られる。そして、ＭＣＳ選択部３１０−１およびＭＣＳ選択部３１０−２によって、サブストリーム１〜２を含むサブセットに対応する信号が伝送される回線のＣＱＩに基づき当該サブセットを送信する際のＭＣＳが選択され、同様に、ＭＣＳ選択部３１０−３およびＭＣＳ選択部３１０−４によって、サブストリーム３〜４を含むサブセットに対応するＣＱＩに基づき当該サブセットを送信する際のＭＣＳが選択される。ここで、各サブセットに対応するＣＱＩは、各サブセットに含まれるサブストリームに対応する信号が受信装置によって受信され、その受信品質に応じて生成されて送信されたものであり、ＣＱＩ復号部１７０−１およびＣＱＩ復号部１７０−２によって復号されたものである。
【００６６】
このとき、上述のように、ＭＣＳ選択部３１０−１によって選択されるＭＣＳ（すなわち、サブストリーム１を送信するためのＭＣＳ）は、ＭＣＳ選択部３１０−２によって選択されるＭＣＳ（すなわち、サブストリーム２を送信するためのＭＣＳ）よりも保守的な基準を有するテーブルに基づいて決定され、同様に、ＭＣＳ選択部３１０−３によって選択されるＭＣＳ（すなわち、サブストリーム３を送信するためのＭＣＳ）は、ＭＣＳ選択部３１０−４によって選択されるＭＣＳ（すなわち、サブストリーム４を送信するためのＭＣＳ）よりも保守的な基準を有するテーブルに基づいて決定されるため、各サブストリームが伝送される際に、それぞれのサブセットにおいてはサブストリーム１およびサブストリーム３の方が誤る可能性が小さい。
【００６７】
そして、サブストリーム１（サブストリーム２〜４）は、対応するＭＣＳ選択部３１０−１（ＭＣＳ選択部３１０−２〜４）によって選択されたＭＣＳに応じた誤り符号化方式で適応符号化部３２０−１（適応符号化部３２０−２〜４）によって誤り符号化され、同様に選択されたＭＣＳに応じた変調方式で適応変調部３３０−１（適応変調部３３０−２〜４）によって変調される。さらに、サブストリーム１（サブストリーム２〜４）は、拡散部３４０−１（拡散部３４０−２〜４）によって拡散され、無線送信部３５０−１（無線送信部３５０−２〜４）によって所定の無線送信処理（Ｄ／Ａ変換、アップコンバートなど）が行われ、対応するアンテナから送信される。
【００６８】
送信装置から送信されたサブストリーム１〜４は、受信装置の無線受信部４００−１〜４によって、アンテナを介して受信される。このとき、それぞれのアンテナには、サブストリーム１〜４および雑音を含む信号が受信される。そして、無線受信部４００−１〜４によって、受信信号に対して所定の無線受信処理（ダウンコンバート、Ａ／Ｄ変換など）が行われる。そして、無線受信処理後の信号は、逆拡散部４１０−１〜４によって逆拡散されるとともに、チャネル推定部２２０によってチャネル推定される。逆拡散後の信号は、チャネル推定結果に基づいて、送信装置におけるサブストリーム１〜４に対応する信号へとサブストリーム分離部４３０によって分離され、サブストリーム１〜４に対応する信号は、それぞれ復調部４４０−１〜４およびＣＩＲ測定部４７０−１〜４へ出力される。
【００６９】
そして、サブストリーム１（サブストリーム２〜４）に対応する信号は、復調部４４０−１（復調部４４０−２〜４）によって復調され、復号化部４５０−１（復号化部４５０−２〜４）によって誤り復号化され、誤り検出部４６０−１（誤り検出部４６０−２〜４）によって例えばＣＲＣなどが用いられることにより誤り検出され、サブストリーム１（サブストリーム２〜４）に対応する受信データが得られる。このとき、サブストリーム１およびサブストリーム３は、それぞれサブストリーム２およびサブストリーム４より保守的な基準を有するテーブルに基づいて決定されたＭＣＳによって送信されているため、誤り検出部４６０−１および誤り検出部４６０−３によって誤り検出が行われる信号は、誤り検出部４６０−２および誤り検出部４６０−４によって誤り検出が行われる信号よりも誤っている可能性が小さい。
【００７０】
また、サブストリーム１（サブストリーム２〜４）に対応する信号は、ＣＩＲ測定部４７０−１（ＣＩＲ測定部４７０−２〜４）によって、受信品質を示すＣＩＲが測定され、ＣＱＩ生成部４８０−１（ＣＱＩ生成部４８０−２）によって、ＣＩＲからサブストリーム１およびサブストリーム２を含むサブセット（サブストリーム３およびサブストリーム４を含むサブセット）が伝送された回線の品質を示すＣＱＩを含む信号が生成される。そして、各サブセットに対応するＣＱＩを含む信号は多重され、無線送信部２９０によって所定の無線送信処理（Ｄ／Ａ変換、アップコンバートなど）が行われ、アンテナを介して送信される。
【００７１】
各サブセットに対応するＣＱＩを含む信号は、送信装置の無線受信部１６０によってアンテナを介して受信され、所定の無線受信処理（ダウンコンバート、Ａ／Ｄ変換など）が行われる。そして、受信信号は、ＣＱＩ復号部１７０−１によって復号され、サブストリーム１およびサブストリーム２を含むサブセットに対応するＣＱＩがＭＣＳ選択部３１０−１およびＭＣＳ選択部３１０−２へ通知される。同様に、受信信号は、ＣＱＩ復号部１７０−２によって復号され、サブストリーム３およびサブストリーム４を含むサブセットに対応するＣＱＩがＭＣＳ選択部３１０−３およびＭＣＳ選択部３１０−４へ通知される。
【００７２】
このように、本実施の形態によれば、複数のサブストリームをグループ化し、各グループ内のサブストリームに関するＭＣＳの選択には、共通のＣＱＩを用いるとともに、各グループ内において、少なくとも１つのサブストリームに関するＭＣＳの選択には、他のサブストリームに関するＭＣＳの選択よりも保守的な基準を有するテーブルが用いられるため、ＣＱＩを報告するための信号の量を削減することができると同時に、回線の状態の変化が生じたような場合でも、すべてのサブストリームが誤って伝送されることを防ぐことができ、システム全体のスループットをさらに向上することができる。
【００７３】
なお、本実施の形態においては、４つのアンテナによって信号を送受信するＭＩＭＯ通信について説明したが、本発明はこれに限定されず、複数の系列から同時にデータを伝送するパラレル伝送において適用することが可能である。
【００７４】
（実施の形態３）
本発明の実施の形態３の特徴は、複数の系列のデータをグループ化し、各グループの系列のデータには共通のＣＱＩを用いるとともに、グループ内のデータのうち、保守的な基準で送信されるデータを受信装置が指示することである。
【００７５】
図６は、実施の形態３に係る送信装置の構成を示すブロック図である。同図に示す送信装置において、図１および図４に示す送信装置と同じ部分には同じ符号を付し、その説明を省略する。図６に示す送信装置は、Ｓ／Ｐ変換部３００、ＭＣＳ選択部５００−１〜２、適応符号化部３２０−１〜４、適応変調部３３０−１〜４、拡散部３４０−１〜４、無線送信部３５０−１〜４、無線受信部１６０、ＣＱＩ復号部１７０−１〜２、指示信号復号部５１０−１〜２を有している。
【００７６】
なお、以下の説明においては、ＭＣＳ選択部５００−１から無線送信部３５０−１によって処理され送信されるデータの流れを「サブストリーム１」といい、ＭＣＳ選択部５００−１から無線送信部３５０−２によって処理され送信されるデータの流れを「サブストリーム２」という。また、同様に、ＭＣＳ選択部５００−２から無線送信部３５０−３〜４によって処理され送信されるデータの流れを、それぞれ「サブストリーム３」、「サブストリーム４」という。
【００７７】
ＭＣＳ選択部５００−１は、後述する受信装置から報告されたＣＱＩに応じてＭＣＳを選択するためのテーブルを保持しており、サブストリーム１〜２を送信するためのＭＣＳを選択する。ＭＣＳ選択部５００−２は、後述する受信装置から報告されたＣＱＩに応じてＭＣＳを選択するためのテーブルを保持しており、サブストリーム３〜４を送信するためのＭＣＳを選択する。ここで、ＭＣＳ選択部５００−１〜２は、それぞれＭＣＳを選択するためのテーブルを２つ保持しており、一方のテーブルは他方のテーブルより保守的な基準を有している。そして、ＭＣＳ選択部５００−１〜２は、それぞれ指示信号復号部５１０−１〜２によって復号される指示信号に基づいて、サブストリーム１〜２およびサブストリーム３〜４のうち保守的な基準を有するテーブルを適用するサブストリームを決定し、当該サブストリームと他方のサブストリームとのＭＣＳを選択する。具体的には、例えば、指示信号復号部５１０−１によって復号される指示信号が、サブストリーム１について保守的な基準を適用する旨を示している場合、ＭＣＳ選択部５００−１は、サブストリーム１に対して保守的な基準を有するテーブルを適用してＭＣＳを選択し、サブストリーム２に対して他方のテーブルを適用してＭＣＳを選択する。
【００７８】
指示信号復号部５１０−１は、サブストリーム１およびサブストリーム２のうち、どちらのサブストリームに対して保守的な基準のＭＣＳ選択用のテーブルを適用するかを示す指示信号を復号する。同様に、指示信号復号部５１０−２は、サブストリーム３およびサブストリーム４のうち、どちらのサブストリームに対して保守的な基準のＭＣＳ選択用のテーブルを適用するかを示す指示信号を復号する。
【００７９】
図７は、実施の形態３に係る受信装置の構成を示すブロック図である。同図に示す受信装置において、図３および図５に示す受信装置と同じ部分には同じ符号を付し、その説明を省略する。図７に示す受信装置は、無線受信部４００−１〜４、逆拡散部４１０−１〜４、チャネル推定部２２０、サブストリーム分離部４３０、復調部４４０−１〜４、復号化部４５０−１〜４、誤り検出部４６０−１〜４、ＣＩＲ測定部４７０−１〜４、ＣＱＩ生成部４８０−１〜２、指示信号生成部６００−１〜２、および無線送信部２９０を有している。
【００８０】
指示信号生成部６００−１は、サブストリーム１およびサブストリーム２に対応する信号のＣＩＲに基づいて、どちらのサブストリームに対して保守的な基準のＭＣＳ選択用のテーブルを適用するかを示す指示信号を生成する。同様に、指示信号生成部６００−２は、サブストリーム３およびサブストリーム４に対応する信号のＣＩＲに基づいて、どちらのサブストリームに対して保守的な基準のＭＣＳ選択用のテーブルを適用するかを示す指示信号を生成する。
【００８１】
ここで、指示信号生成部６００−１および指示信号生成部６００−２は、それぞれ対応するＣＩＲ測定部４７０−１〜２およびＣＩＲ測定部４７０−３〜４によって測定されたＣＩＲのうち、高い方のＣＩＲに対応するサブストリームに対して保守的な基準のＭＣＳ選択用のテーブルを適用する旨を示す指示信号を生成しても良く、また、低い方のＣＩＲに対応するサブストリームに対して保守的な基準のＭＣＳ選択用のテーブルを適用する旨を示す指示信号を生成しても良い。高い方のＣＩＲに対応するサブストリームに対して保守的な基準のＭＣＳ選択用のテーブルを適用する場合には、受信品質が高いサブストリームを確実に伝送することになり、サブストリーム１〜２からなるグループおよびサブストリーム３〜４からなるグループの中から、それぞれ１つずつ伝搬路において誤りが生じにくいサブストリームを設けることができる。一方、低い方のＣＩＲに対応するサブストリームに対して保守的な基準のＭＣＳ選択用のテーブルを適用する場合には、受信品質が低いサブストリームの伝送品質を向上させることになり、サブストリーム１〜２からなるグループおよびサブストリーム３〜４からなるグループの全体的な誤りを削減することができる。
【００８２】
次いで、上記のように構成された送信装置および受信装置の動作について説明する。
【００８３】
送信データは、Ｓ／Ｐ変換部３００によってシリアル／パラレル変換され、サブストリーム１〜４の４系列のデータが得られる。そして、ＭＣＳ選択部５００−１によって、サブストリーム１〜２に対応する信号が伝送される回線のＣＱＩに基づきこれらのサブストリームを送信する際のＭＣＳが選択され、同様に、ＭＣＳ選択部５００−２によって、サブストリーム３〜４に対応するＣＱＩに基づきこれらのサブストリームを送信する際のＭＣＳが選択される。このとき、指示信号復号部５１０−１および指示信号復号部５１０−２によって復号された指示信号に基づき、それぞれＭＣＳ選択部５００−１およびＭＣＳ選択部５００−２によって保持されている２つのテーブルのうち、どのテーブルをどのサブストリームのＭＣＳ選択に適用するかが決定される。具体的には、ＭＣＳ選択部５００−１によって保持されている２つのテーブルのうち、保守的な基準を有するテーブルをサブストリーム１〜２のどちらに適用し、ＭＣＳ選択部５００−２によって保持されている２つのテーブルのうち、保守的な基準を有するテーブルをサブストリーム３〜４のどちらに適用するかが決定される。
【００８４】
そして、サブストリーム１〜２（サブストリーム３〜４）は、対応するＭＣＳ選択部５００−１（ＭＣＳ選択部５００−２）によって選択されたＭＣＳに応じた誤り符号化方式でそれぞれ適応符号化部３２０−１〜２（適応符号化部３２０−３〜４）によって誤り符号化され、同様に選択されたＭＣＳに応じた変調方式でそれぞれ適応変調部３３０−１〜２（適応変調部３３０−３〜４）によって変調される。さらに、サブストリーム１（サブストリーム２〜４）は、拡散部３４０−１（拡散部３４０−２〜４）によって拡散され、無線送信部３５０−１（無線送信部３５０−２〜４）によって所定の無線送信処理（Ｄ／Ａ変換、アップコンバートなど）が行われ、対応するアンテナから送信される。
【００８５】
送信装置から送信されたサブストリーム１〜４は、受信装置の無線受信部４００−１〜４によって、アンテナを介して受信される。このとき、それぞれのアンテナには、サブストリーム１〜４および雑音を含む信号が受信される。そして、無線受信部４００−１〜４によって、受信信号に対して所定の無線受信処理（ダウンコンバート、Ａ／Ｄ変換など）が行われる。そして、無線受信処理後の信号は、逆拡散部４１０−１〜４によって逆拡散されるとともに、チャネル推定部２２０によってチャネル推定される。逆拡散後の信号は、チャネル推定結果に基づいて、送信装置におけるサブストリーム１〜４に対応する信号へとサブストリーム分離部４３０によって分離され、サブストリーム１〜４に対応する信号は、それぞれ復調部４４０−１〜４およびＣＩＲ測定部４７０−１〜４へ出力される。
【００８６】
そして、サブストリーム１（サブストリーム２〜４）に対応する信号は、復調部４４０−１（復調部４４０−２〜４）によって復調され、復号化部４５０−１（復号化部４５０−２〜４）によって誤り復号化され、誤り検出部４６０−１（誤り検出部４６０−２〜４）によって例えばＣＲＣなどが用いられることにより誤り検出され、サブストリーム１（サブストリーム２〜４）に対応する受信データが得られる。
【００８７】
また、サブストリーム１（サブストリーム２〜４）に対応する信号は、ＣＩＲ測定部４７０−１（ＣＩＲ測定部４７０−２〜４）によって、受信品質を示すＣＩＲが測定され、ＣＱＩ生成部４８０−１（ＣＱＩ生成部４８０−２）によって、ＣＩＲからサブストリーム１およびサブストリーム２（サブストリーム３およびサブストリーム４）が伝送された回線の品質を示すＣＱＩを含む信号が生成される。また、指示信号生成部６００−１（指示信号生成部６００−２）によって、サブストリーム１〜２（サブストリーム３〜４）のうち、どちらのサブストリームに対して保守的な基準のＭＣＳ選択用のテーブルを適用するかを示す指示信号が生成される。そして、各サブストリームのグループに対応するＣＱＩを含む信号および指示信号は多重され、無線送信部２９０によって所定の無線送信処理（Ｄ／Ａ変換、アップコンバートなど）が行われ、アンテナを介して送信される。
【００８８】
各サブストリームのグループに対応するＣＱＩを含む信号および指示信号は、送信装置の無線受信部１６０によってアンテナを介して受信され、所定の無線受信処理（ダウンコンバート、Ａ／Ｄ変換など）が行われる。そして、受信信号は、ＣＱＩ復号部１７０−１および指示信号復号部５１０−１によって復号され、サブストリーム１およびサブストリーム２に対応するＣＱＩおよびどちらのサブストリームに保守的な基準のテーブルを適用するかがＭＣＳ選択部５００−１へ通知される。同様に、受信信号は、ＣＱＩ復号部１７０−２および指示信号復号部５１０−２によって復号され、サブストリーム３およびサブストリーム４に対応するＣＱＩおよびどちらのサブストリームに保守的な基準のテーブルを適用するかがＭＣＳ選択部５００−２へ通知される。
【００８９】
このように、本実施の形態によれば、複数のサブストリームをグループ化し、各グループ内のサブストリームに関するＭＣＳの選択には、共通のＣＱＩを用いるとともに、各サブストリームの受信品質に基づいて、グループ内のどのサブストリームに対して保守的な基準を有するテーブルを用いてＭＣＳを選択するかが決定されるため、ＣＱＩを報告するための信号の量を削減することができると同時に、サブストリームの伝送品質を高めるようにＭＣＳ選択用のテーブルを適用することができる。
【００９０】
なお、本実施の形態においては、４つのアンテナによって信号を送受信するＭＩＭＯ通信について説明したが、本発明はこれに限定されず、複数の系列から同時にデータを伝送するパラレル伝送において適用することが可能である。
【００９１】
（実施の形態４）
本発明の実施の形態４の特徴は、複数の系列のデータを送信する際に、保守的な基準で送信されるデータに、各系列のデータを含む誤り訂正符号のパリティビット（冗長ビット）を付加して送信することである。
【００９２】
図８は、実施の形態４に係る送信装置の構成を示すブロック図である。同図に示す送信装置において、図１に示す送信装置と同じ部分には同じ符号を付し、その説明を省略する。
【００９３】
図８に示す送信装置は、データ分割部７００、ＭＣＳ選択部１１０−１〜２、ＲＳ（Ｒｅｅｄ−Ｓｏｌｏｍｏｎ）符号化部７１０、余剰ビット除去部７２０、適応符号化部１２０−１〜２、適応変調部１３０−１〜２、拡散部１４０−１〜２、無線送信部１５０−１〜２、無線受信部１６０、およびＣＱＩ復号部１７０−１〜２を有している。
【００９４】
なお、以下の説明においては、ＭＣＳ選択部１１０−１から無線送信部１５０−１によって処理され送信されるデータの流れを「サブストリーム１」といい、ＭＣＳ選択部１１０−２から無線送信部１５０−２によって処理され送信されるデータの流れを「サブストリーム２」という。
【００９５】
データ分割部７００は、１系列の送信データを２系列に分割する。具体的には、データ分割部７００は、ＲＳ符号化部７１０によってデータの実体である情報ビットにパリティビットが付加された後に、サブストリーム１とサブストリーム２のデータ全体の長さが等しくなるような配分で送信データを分割する。サブストリーム１およびサブストリーム２のデータを構成するビットについては後述する。
【００９６】
ＲＳ符号化部７１０は、サブストリーム１のデータの実体である情報ビット（以下、「情報ビット１」という）とサブストリーム２のデータの実体である情報ビット（以下、「情報ビット２」という）および各サブストリームの情報ビットに付加されている誤り検出符号のＣＲＣ（Ｃｙｃｌｉｃ　Ｒｅｄｕｎｄａｎｃｙ　Ｃｈｅｃｋ）ビット（以下、それぞれ「ＣＲＣ１」、「ＣＲＣ２」という）を結合したデータに対してＲＳ符号化を行い、ＲＳパリティビットを付加する。
【００９７】
余剰ビット除去部７２０は、ＲＳパリティビット付加後のデータから、サブストリーム２のデータ実体である情報ビット２とその誤り検出符号であるＣＲＣ２とを除去する。
【００９８】
また、本実施の形態においては、適応符号化部１２０−１〜２は、ターボ符号化を行い、パリティビットを付加する。一般に、ＲＳ符号は、バースト誤りに対する耐性が大きく、ターボ符号は、ランダム誤りに対する耐性が大きい。これらの種類の異なる誤り訂正符号化を組み合わせることにより、バースト誤りおよびランダム誤りの両方に対して耐性を有する符号化を行うことができる。
【００９９】
図９は、実施の形態４に係る受信装置の構成を示すブロック図である。同図に示す受信装置において、図３に示す受信装置と同じ部分には同じ符号を付し、その説明を省略する。図９に示す受信装置は、無線受信部２００−１〜２、逆拡散部２１０−１〜２、チャネル推定部２２０、サブストリーム分離部２３０、復調部２４０−１〜２、復号化部２５０−１〜２、誤り検出部２６０−１〜２、判定部８００、ＲＳ復号化部８１０、誤り検出部８２０、ＣＩＲ（Ｃａｒｒｉｅｒ　ｔｏ　Ｉｎｔｅｒｆｅｒｅｎｃｅ　Ｒａｔｉｏ）測定部２７０−１〜２、ＣＱＩ生成部２８０−１〜２、および無線送信部２９０を有している。
【０１００】
判定部８００は、誤り検出部２６０−１および誤り検出部２６０−２によってそれぞれＣＲＣ１およびＣＲＣ２が用いられて各サブストリームに対応する信号の誤り検出が行われた結果から、各サブストリームに対応する信号の誤りの有無を判定する。換言すれば、判定部８００は、誤り検出部２６０−１によってＣＲＣ１による誤り検出が行われた結果、サブストリーム１に対応する信号に誤りがあるか否かを判定し、同時に、誤り検出部２６０−２によってＣＲＣ２による誤り検出が行われた結果、サブストリーム２に対応する信号に誤りがあるか否かを判定する。
【０１０１】
ＲＳ復号化部８１０は、サブストリーム１に対応する信号に付加されているＲＳパリティビットを用いて、サブストリーム１およびサブストリーム２に対応する信号の誤り訂正復号を行う。ここで、サブストリーム１に対応する信号に付加されているＲＳパリティビットは、サブストリーム２のデータの実体である情報ビット２に関する情報を含んでいるため、ＲＳ復号化部８１０は、サブストリーム１およびサブストリーム２に対応する信号の誤り訂正復号を行うことができる。
【０１０２】
誤り検出部８２０は、判定部８００の判定結果として、サブストリーム１に対応する信号に誤りが無く、かつ、サブストリーム２に対応する信号に誤りがあった場合、ＲＳ復号化部８１０による誤り訂正復号結果を用いて、再度サブストリーム２に対応する信号の誤り検出を行い、受信データを得る。
【０１０３】
次いで、上記のように構成された送信装置および受信装置の動作について説明する。
【０１０４】
送信データは、データ分割部７００によって分割され、サブストリーム１およびサブストリーム２の２系列のデータが得られる。そして、ＭＣＳ選択部１１０−１によって、サブストリーム１に対応する信号が伝送される回線のＣＱＩに基づきサブストリーム１を送信する際のＭＣＳが選択され、同様に、ＭＣＳ選択部１１０−２によって、サブストリーム２に対応するＣＱＩに基づきサブストリーム２を送信する際のＭＣＳが選択される。ここで、各サブストリームに対応するＣＱＩは、受信装置によって生成されて送信されたものであり、ＣＱＩ復号部１７０−１およびＣＱＩ復号部１７０−２によって復号されたものである。
【０１０５】
このとき、実施の形態１と同様に、ＭＣＳ選択部１１０−１によって選択されるＭＣＳ（すなわち、サブストリーム１を送信するためのＭＣＳ）は、ＭＣＳ選択部１１０−２によって選択されるＭＣＳ（すなわち、サブストリーム２を送信するためのＭＣＳ）よりも保守的な基準を有するテーブルに基づいて決定されるため、各サブストリームが伝送される際に、サブストリーム１の方が誤る可能性が小さい。
【０１０６】
そして、サブストリーム１の情報ビット１およびＣＲＣ１とサブストリーム２の情報ビット２およびＣＲＣ２とが結合され、このデータは、ＲＳ符号化部７１０によってＲＳ符号化され、ＲＳパリティビットが付加される（図１０（ａ）参照）。ここで、付加されるＲＳパリティビットは、情報ビット１および情報ビット２に関する誤り訂正符号用のビットであるため、受信装置は、このビットを用いて誤り訂正復号することにより、情報ビット１および情報ビット２の誤りを訂正することができる。
【０１０７】
そして、余剰ビット除去部７２０によって、ＲＳパリティビット付加後のデータから、情報ビット２およびＣＲＣ２が除去される。この結果得られた、情報ビット１、ＣＲＣ１、およびＲＳパリティビットからなるサブストリーム１のデータは、対応するＭＣＳ選択部１１０−１によって選択されたＭＣＳに応じた誤り符号化方式で適応符号化部１２０−１によってターボ符号化され、パリティビットが付加される。また、情報ビット２およびＣＲＣ２からなるサブストリーム２のデータは、対応するＭＣＳ選択部１１０−２によって選択されたＭＣＳに応じた誤り符号化方式で適応符号化部１２０−２によってターボ符号化され、パリティビットが付加される（図１０（ｂ）参照）。このとき、サブストリーム１には、ＲＳパリティビットが含まれるため、情報ビット１と情報ビット２のデータ長が同じであれば、サブストリーム１の方がサブストリーム２よりも長くなるが、データ分割部７００によって、各サブストリームの長さが等しくなるように送信データが分割されているため、図１０（ｂ）に示すように、ターボ符号化後の各サブストリームのデータ長は等しくなる。
【０１０８】
そして、サブストリーム１（サブストリーム２）は、ＭＣＳ選択部１１０−１（ＭＣＳ選択部１１０−２）によって選択されたＭＣＳに応じた変調方式で適応変調部１３０−１（適応変調部１３０−２）によって変調され、拡散部１４０−１（拡散部１４０−２）によって拡散され、無線送信部１５０−１（無線送信部１５０−２）によって所定の無線送信処理（Ｄ／Ａ変換、アップコンバートなど）が行われ、対応するアンテナから送信される。
【０１０９】
送信装置から送信されたサブストリーム１およびサブストリーム２は、受信装置の無線受信部２００−１および無線受信部２００−２によって、アンテナを介して受信される。このとき、それぞれのアンテナには、サブストリーム１、サブストリーム２、および雑音を含む信号が受信される。そして、無線受信部２００−１および無線受信部２００−２によって、受信信号に対して所定の無線受信処理（ダウンコンバート、Ａ／Ｄ変換など）が行われる。そして、無線受信処理後の信号は、逆拡散部２１０−１および逆拡散部２１０−２によって逆拡散されるとともに、チャネル推定部２２０によってチャネル推定される。逆拡散後の信号は、チャネル推定結果に基づいて、送信装置におけるサブストリーム１およびサブストリーム２に対応する信号へとサブストリーム分離部２３０によって分離され、サブストリーム１に対応する信号は復調部２４０−１およびＣＩＲ測定部２７０−１へ出力され、サブストリーム２に対応する信号は復調部２４０−２およびＣＩＲ測定部２７０−２へ出力される。
【０１１０】
そして、サブストリーム１（サブストリーム２）に対応する信号は、復調部２４０−１（復調部２４０−２）によって復調され、復号化部２５０−１（復号化部２５０−２）によってターボ復号化され、誤り検出部２６０−１（誤り検出部２６０−２）によってＣＲＣ１（ＣＲＣ２）が用いられることにより誤り検出される。この誤り検出の結果は、判定部８００へ通知され、サブストリーム１およびサブストリーム２に対応する信号の誤りの有無が判定される。このとき、サブストリーム１は、サブストリーム２より保守的な基準を有するテーブルに基づいて決定されたＭＣＳによって送信されているため、誤り検出部２６０−１によって誤り検出が行われる信号は、誤り検出部２６０−２によって誤り検出が行われる信号よりも誤っている可能性が小さい。
【０１１１】
判定部８００による判定の結果、サブストリーム１に対応する信号に誤りが無く、サブストリーム２に対応する信号に誤りがあった場合、誤りが無いサブストリーム１に対応する信号に含まれるＲＳパリティビットが用いられて、ＲＳ復号化部８１０によってサブストリーム１およびサブストリーム２に対応する信号の誤り訂正復号が行われる。さらに、誤り訂正復号されたサブストリーム２に対応する信号は、誤り検出部８２０によって、再度誤り検出が行われ、受信データが得られる。
【０１１２】
また、実施の形態１と同様に、サブストリーム１（サブストリーム２）に対応する信号は、ＣＩＲ測定部２７０−１（ＣＩＲ測定部２７０−２）によって、受信品質を示すＣＩＲが測定され、ＣＱＩ生成部２８０−１（ＣＱＩ生成部２８０−２）によって、ＣＩＲからサブストリーム１（サブストリーム２）が伝送された回線の品質を示すＣＱＩを含む信号が生成される。そして、各サブストリームに対応するＣＱＩを含む信号は多重され、無線送信部２９０によって所定の無線送信処理（Ｄ／Ａ変換、アップコンバートなど）が行われ、アンテナを介して送信される。
【０１１３】
各サブストリームに対応するＣＱＩを含む信号は、送信装置の無線受信部１６０によってアンテナを介して受信され、所定の無線受信処理（ダウンコンバート、Ａ／Ｄ変換など）が行われる。そして、受信信号は、ＣＱＩ復号部１７０−１によって復号され、サブストリーム１に対応するＣＱＩがＭＣＳ選択部１１０−１へ通知される。同様に、受信信号は、ＣＱＩ復号部１７０−２によって復号され、サブストリーム２に対応するＣＱＩがＭＣＳ選択部１１０−２へ通知される。
【０１１４】
このように、本実施の形態によれば、サブストリームごとのＭＣＳを選択する際に、少なくとも１つのサブストリームに関するＭＣＳの選択には、他のサブストリームに関するＭＣＳの選択よりも保守的な基準を有するテーブルを用い、当該サブストリームにすべてのサブストリームの情報ビットに関する誤り訂正符号を含めて送信するため、すべてのサブストリームに関する誤り訂正符号を確実に伝送することができ、受信装置においてすべてのサブストリームの誤りを訂正することができ、システム全体のスループットをさらに向上することができる。
【０１１５】
なお、本実施の形態においては、送信装置は、ＲＳパリティビットをサブストリーム１に含めて送信する構成としたが、図１１に示すように、ＲＳ符号化部７１０ａがＲＳパリティビットをサブストリーム１およびサブストリーム２に半分ずつ含めるような構成としても良い（図１２参照）。この場合には、各サブストリームに同じ長さのＲＳパリティビットが含まれることになるため、図８に示す送信装置のデータ分割部７００に代えて、Ｓ／Ｐ変換部１００を設ければ良い。また、図８に示す送信装置の余剰ビット除去部７２０も必要ないため、送信装置を図１１のように構成することにより、装置構成の簡略化を図ることができる。
【０１１６】
また、本実施の形態においては、２つのアンテナによって信号を送受信するＭＩＭＯ通信について説明したが、本発明はこれに限定されず、複数の系列から同時にデータを伝送するパラレル伝送において適用することが可能である。
【０１１７】
【発明の効果】
以上説明したように、本発明によれば、システム全体のスループットを向上することができる。
【図面の簡単な説明】
【図１】本発明の実施の形態１に係る送信装置の構成を示すブロック図
【図２】実施の形態１に係るＭＣＳ選択用テーブルの一例を示す図
【図３】実施の形態１に係る受信装置の構成を示すブロック図
【図４】本発明の実施の形態２に係る送信装置の構成を示すブロック図
【図５】実施の形態２に係る受信装置の構成を示すブロック図
【図６】本発明の実施の形態３に係る送信装置の構成を示すブロック図
【図７】実施の形態３に係る受信装置の構成を示すブロック図
【図８】本発明の実施の形態４に係る送信装置の構成を示すブロック図
【図９】実施の形態４に係る受信装置の構成を示すブロック図
【図１０】実施の形態４に係るデータ構成の一例を示す図
【図１１】実施の形態４に係る送信装置の他の構成を示すブロック図
【図１２】実施の形態４に係るデータ構成の他の一例を示す図
【符号の説明】
１００、３００　Ｓ／Ｐ変換部
１１０−１、１１０−２、３１０−１、３１０−２、３１０−３、３１０−４、５００−１、５００−２　ＭＣＳ選択部
１２０−１、１２０−２、３２０−１、３２０−２、３２０−３、３２０−４
適応符号化部
１７０　ＣＱＩ復号部
２３０、４３０　サブストリーム分離部
２６０−１、２６０−２、４６０−１、４６０−２、４６０−３、４６０−４、８２０　誤り検出部
２７０−１、２７０−２、４７０−１、４７０−２、４７０−３、４７０−４
ＣＩＲ測定部
２８０−１、２８０−２、４８０−１、４８０−２　ＣＱＩ生成部
５１０−１、５１０−２　指示信号復号部
６００−１、６００−２　指示信号生成部
７００　データ分割部
７１０、７１０ａ　ＲＳ符号化部
７２０　余剰ビット除去部
８００　判定部
８１０　ＲＳ復号化部
【図１】
2004056569.tif 000003
【図２】
2004056569.tif 000004
【図３】
2004056569.tif 000005
【図４】
2004056569.tif 000006
【図５】
2004056569.tif 000007
【図６】
2004056569.tif 000008
【図７】
2004056569.tif 000009
【図８】
2004056569.tif 000010
【図９】
2004056569.tif 000011
【図１０】
2004056569.tif 000012
【図１１】
2004056569.tif 000013
【図１２】
2004056569.tif 000014